(57)【要約】  紙保持用金具（１０，１００）は、基部（１２，１０２）と、２つのポスト（１６，１０６）と、中間部（２０，１１０）により繋がれた２つのアーチ（１８，１０８）と、基部から延びる支持板（１４，１０４）と、アーム（２６，１１６）およびリンク（３０，１２０）を含むレバー組立体とを備える。アーチは、ポストに繋がって閉リングを形成する閉鎖位置と、ポストから離れた開放位置との間で移動可能である。レバー組立体は、アーチを閉鎖位置と開放位置との間で移動させる。アームは支持板と係合し、第一の軸線（Ａ−Ａ、Ｒ−Ｒ）の周りに回転移動する。リンクは支持板と係合し、第二の軸線（Ｃ−Ｃ、Ｔ−Ｔ）の周りに回転移動するとともに、アームのスロット（４０，１３０）内を摺動するローラ（４２，１３２）と係合している。アーチが閉鎖位置にあるときアームを第一方向に向かい基部から離れるように回転させると、リンクが第一の方向に回転し、アーチが開放位置へ回転する。アーチが開放位置にあるときアームを反対の第二方向に回転させると、リンクが第二の方向に回転し、アーチが閉鎖位置へ回転する。
2013501643.tif 000002
【特許請求の範囲】
【請求項１】
紙保持用の金具であって、
基部と、
前記基部へ固定されている少なくとも２つのポスト部材と、
相互に接続されて同時に移動する少なくとも２つのアーチ部材と、を備えており、
前記アーチ部材が前記ポスト部材に対して閉鎖位置と開放位置との間を移動し、その閉鎖位置では前記アーチ部材が前記ポスト部材と接触して、２つの閉鎖リングが形成される一方、前記開放位置では前記アーチ部材が前記ポスト部材から離脱して、前記リングが開かれるように構成されており、
さらに、
前記基部から延びるように設けられた板部材と、
前記アーチ部材を前記閉鎖位置と前記開放位置との間を移動させるように操作可能な、少なくともアーム部材およびリンク部材を有するレバー組立体と、を備えており、
前記アーム部材が、第一の軸線を中心として相対的に回転移動するように前記板部材に係合されており、
前記リンク部材が、第二の軸線を中心として相対的に回転移動するように前記板部材に係合されており、
前記リンク部材には、前記アーム部材のスロット内に挿入されて相対的に摺動する延出部が設けられており、
前記アーチ部材が前記閉鎖位置にあるとき、前記アーム部材を第一の方向に向けて基板から離れるように回転させて、前記リンク部材を前記第一の方向に向けて回転させることにより、前記アーチ部材を前記開放位置へ回転移動させることが可能となっており、
前記アーチ部材が前記開放位置にあるとき、前記アーム部材を前記第一の方向とは反対の第二の方向に向けて回転させて、前記リンク部材を前記第二の方向に向けて回転させることにより、前記アーチ部材を前記閉鎖位置へ回転移動させることが可能に構成されてなる、金具。
【請求項２】
前記アーチ部材が前記閉鎖位置にあるとき、前記リンク部材の前記延出部と前記基部との間の最短距離が、前記リンク部材の前記板部材に対する回転中心である前記第二の軸線と、前記基部との間の最短距離よりも長くなっている、請求項１に記載の金具。
【請求項３】
前記リンク部材の前記板部材に対する回転中心である前記第二の軸線が、前記アーム部材の操作用自由端部と前記スロットとの間に位置してなる、請求項１または２に記載の金具。
【請求項４】
前記アーチ部材が前記閉鎖位置にあるとき、前記リンク部材の前記延出部と前記基部との間の最短距離が、前記リンク部材の前記板部材に対する回転中心である前記第二の軸線と、前記基部との間の最短距離よりも短くなっている、請求項１に記載の金具。
【請求項５】
前記スロットが、前記リンク部材の前記板部材に対する回転中心である前記第二の軸線と、前記アーム部材の操作用自由端部との間に位置してなる、請求項１または４に記載の金具。
【請求項６】
前記２つのアーチ部材が中間部によって相互に接続されて同時に移動するように構成され、
前記リンク部材が前記中間部に力を作用させるための作用部を坦持しており、
前記アーチ部材が前記閉鎖位置にあるときに前記作用部が、前記中間部に力を加えて前記アーチ部材を前記閉鎖位置に維持する一方、当該作用部が、前記アーム部材の貫通しているリングに向かって移動することで、前記アーム部材が前記第一の方向に向かって回転移動するように構成されている、請求項１乃至５のうちのいずれか一項に記載の金具。
【請求項７】
基板と係合する、請求項１乃至６のうちのいずれか一項に記載の紙保持用金具を備えてなる、紙保持用品。
【発明の詳細な説明】
【技術分野】
【０００１】
本発明は、紙保持用金具に関するものであり、とくに穴の開いた紙を綴じたり、取り外したりすることが可能な紙保持用金具に関するものである。
【発明の概要】
【課題を解決するための手段】
【０００２】
本発明の第一の態様にかかる紙保持用金具は、基部と、基部へ固定されている少なくとも２つのポスト部材と、相互に接続されて同時に移動するようになっている少なくとも２つのアーチ部材とを備え、アーチ部材がポスト部材に対して閉鎖位置と開放位置との間を移動するようになっており、閉鎖位置では、アーチ部材がポスト部材と接触して２つの閉鎖リングが形成される一方、開放位置ではアーチ部材がポスト部材から離脱して、リングが開いた状態となる。また、紙保持用金具はさらに、基部から延びるように設けられた板部材と、アーチ部材を閉鎖位置と開放位置との間で移動するように操作可能なレバー組立体とを備えており、レバー組立体が少なくともアーム部材およびリンク部材を有し、アーム部材は、第一の軸線を中心として相対的に回転移動するよう板部材に係合され、リンク部材は、第二の軸線を中心として相対的に回転移動するよう板部材に係合されており、このリンク部材は、アーム部材に向かって延びて、当該アーム部材のスロット内に相対的に摺動可能に挿入される延出部を有している。そして、アーチ部材が閉鎖位置にあるとき、アーム部材を基板から離れるよう第一の方向に向けて回転させ、これによりリンク部材を第一の方向に向けて回転させることによって、アーチ部材を開放位置へ回転移動させることが可能になっており、反対にアーチ部材が開放位置にあるとき、アーム部材を第一の方向とは反対の第二の方向に向けて回転させ、これによりリンク部材を第二の方向に向けて回転させることによって、アーチ部材を閉鎖位置へ回転移動させることが可能になっている。
【０００３】
本発明の第二の態様によれば、基板と係合した紙保持用金具を備えている紙保持用品は、基部と、基部へ固定されている少なくとも２つのポスト部材と、相互に接続されて同時に移動するようになっている少なくとも２つのアーチ部材とを備え、アーチ部材がポスト部材に対して閉鎖位置と開放位置との間を移動するようになっており、閉鎖位置では、アーチ部材がポスト部材と接触して２つの閉鎖リングが形成される一方、開放位置ではアーチ部材がポスト部材から離脱して、リングが開いた状態となる。また、紙保持用品はさらに、基部から延びるように設けられた板部材と、アーチ部材を閉鎖位置と開放位置との間で移動するように操作可能なレバー組立体とを備えており、レバー組立体が少なくともアーム部材およびリンク部材を有し、アーム部材は、第一の軸線を中心として相対的に回転移動するよう板部材に係合され、リンク部材は、第二の軸線を中心として相対的に回転移動するよう板部材に係合されており、このリンク部材は、アーム部材に向かって延びて、当該アーム部材のスロット内に相対的に摺動可能に挿入される延出部を有している。そして、アーチ部材が閉鎖位置にあるとき、アーム部材を基板から離れるよう第一の方向に向けて回転させ、これによりリンク部材を第一の方向に向けて回転させることによって、アーチ部材を開放位置へ回転移動させることが可能になっており、反対にアーチ部材が開放位置にあるとき、アーム部材を第一の方向とは反対の第二の方向に向けて回転させ、これによりリンク部材を第二の方向に向けて回転させることによって、アーチ部材を閉鎖位置へ回転移動させることが可能になっている。
【０００４】
以下に、本発明の実施形態を、例示のみを意図した添付の図面を参照しながら説明する。
【図面の簡単な説明】
【０００５】
【図１】本発明の第一の実施形態にかかる紙保持用金具を示す分解図である。
【図２】リング閉鎖配置に置かれた図１の金具を示す正面斜視図である。
【図３】図２の金具を示す後面斜視図である。
【図４】図２の金具を示す正面図である。
【図５】図４の金具を示す左側面図である。
【図６】図４の金具を示す平面図である。
【図７】図４の金具を示す後面図である。
【図８】リング開放配置に置かれた図１の金具を示す正面斜視図である。
【図９】図８の金具を示す後面斜視図である。
【図１０】図８の金具を示す正面図である。
【図１１】図１０の金具を示す左側面図である。
【図１２】図１０の金具を示す右側面図である。
【図１３】図１０の金具を示す平面図である。
【図１４】本発明の他の実施形態にかかる紙保持用金具を示す分解図である。
【図１５】リング閉鎖配置に置かれた図１４の金具を示す正面斜視図である。
【図１６】図１５の金具を示す後面斜視図である。
【図１７】図１５の金具を示す部分正面図である。
【図１８】図１７の金具を示す左側面図である。
【図１９】図１７の金具を示す後面図である。
【図２０】図１９の金具を示す平面図である。
【図２１】リング開放配置に置かれた図１４の金具を示す正面斜視図である。
【図２２】図２１の金具を示す後面斜視図である。
【発明を実施するための形態】
【０００６】
図１には、本発明の第一の実施形態に係る紙保持用金具がさまざまな部品に分解して示されており、かつその全体が参照符号１０で表されている。この紙保持用金具１０は、「レバーアーチタイプファイル金具」として一般的に知られているタイプのものである。
【０００７】
金具１０は、おおむね平坦な基部１２と、基部１２から上方に向けて延びる支持板１４（板部材）とを備えている。支持板１４は、基部１２に堅固に固定されていればよく、たとえば、支持板１４は、基部１２が形成されている元の金属シートから打ち抜かれたものであってもよい。
【０００８】
また、２つのポスト１６（ポスト部材）が基部１２に堅固に固定されている一方、一対のアーチ１８（アーチ部材）が中間部２０を介して繋がれ、相互に一体に形成されていて、これらアーチ１８および中間部２０は一体に、即ち同時に移動可能になっている。アーチ１８は基部１２に対して爪２２により係合されて、ポスト１６および基部１２に対して第一の位置と第二の位置との間を回転可能となっている。第一の位置（閉鎖位置）では、アーチ１８の自由端部１８ａおよびポスト１６の自由端部１６ａが相互に接触、係合して２つの閉じたリングが形成され（紙保持用金具１０が「リング閉鎖配置」にあると呼ぶ）、第二の位置（「開放位置」と呼ぶ）では、アーチ１８の自由端部１８ａおよびポスト１６の自由端部１６ａが互いに離脱して、リングが開いた状態となっている（紙保持用金具１０が「リング開放配置」にあると呼ぶ）。
【０００９】
さらに、板バネ２４が、下方から中間部２０に作用してアーチ１８を開放位置へ付勢するように、基部１２に係合されている。
【００１０】
また、金具１０は、手動操作可能なレバーアーム２６の含まれるレバー組立体を備えており、このレバー組立体においてレバーアーム２６は、基部１２に対しておおむね平行な固定の軸線Ａ−Ａを中心として回転可能となるように、リベット２８によって支持板１４に係合されている。そうして手動で操作可能なレバーアーム２６の操作用自由端部２６ａはカバー２９（ゴム素材またはプラスチック素材の如きソフトな材料からなりうる）で覆われていて、快適な使用感を提供する。使用時にユーザは、レバーアーム２６の操作用自由端部２６ａに対し力を加えて、アーチ１８を開放位置と閉鎖位置との間で選択的に回転移動させることにより、２つのリングを開閉することができる。
【００１１】
前記のレバー組立体は薄い板の形態をとるリンク３０を含んでおり、このリンク３０には３つの穴３０ａ、３０ｂ、３０ｃが形成されていて、そのうちの穴３０ｃには、力の作用部であるローラ３２がリベット３４により係合されている。このことでローラ３２は、リンク３０により坦持されているとともに、軸線Ａ−Ａと平行な軸線Ｂ−Ｂを中心としてリンク３０に対し回転自在になっている。軸線Ｂ−Ｂは、リンク３０と共に基部１２および支持板１４に対して移動可能である。金具１０がリング閉鎖配置にあるときにローラ３２は、中間部２０の上側突出部４６（図４を参照）上に着座し、板バネ２４の付勢力に抗してアーチ１８を閉鎖位置に維持している。ここから金具１０をリング開放配置へ移動させるときには、ローラ３２を、中間部２０のうちの上側突出部４６から離れた部分に移動させる、こうすると、板バネ２４が上方に向けてアーチ１８を押し上げ、開放位置へ移動させるようになる。
【００１２】
リベット３６は、支持板１４の孔３８およびリンク３０の穴３０ｂに係合しており、これによりリンク３０を、軸線Ａ−Ａに対して平行な軸線Ｃ−Ｃを中心として回転可能に支持板１４に係合させている。軸線Ｃ−Ｃの位置は基部１２および支持板１４に対して固定されている。
【００１３】
レバーアーム２６は、ローラ４２を受け入れて相対的に摺動運動させるためのスロット４０を有している。ローラ４２は、リベット４４によってリンク３０の穴３０ａに係合されているので、リンク３０は、ローラ４２を介してレバーアーム２６と係合している。ローラ４２は、リンク３０からレバーアーム２６のスロット４０に向けて延びる延出部であり、そのスロット４０内に挿入されて摺動可能になっている。
【００１４】
図２〜図７には、リング閉鎖配置にある金具１０が示されており、ここではレバーアーム２６が下側安定位置（金具１０がリング開放配置にある場合にレバーアーム２６が置かれる下記に記載の上側安定位置との対比で下側の位置）に置かれている。このリング閉鎖配置においてローラ４２と基部１２との間の最短距離ｌ（図７を参照）は、軸線Ｃ−Ｃと基部１２との間の最短距離ｋよりも長くなっている。また、レバーアーム２６が支持板１４に対して回転する際の中心線である軸線Ａ−Ａと、基部１２との間の最短距離ｊは、軸線Ｃ−Ｃと基部１２との間の最短距離ｋよりも短くなっている。そして、ローラ３２は、板バネ２４の付勢力に抗して中間部２０の上側突出部４６に下向きの力を加え、アーチ１８を閉鎖位置に維持するようになっている。
【００１５】
また、図７から明らかなように、金具１０がリング閉鎖配置にあるとき、スロット４０が基部１２に対して傾いていて、そのスロット４０の下端５０と基部１２との間の最短距離が、スロット４０の上端５２と基部１２との間の最短距離よりも短くなっているとともに、スロット４０の下端５０とレバーアーム２６の操作用自由端部２６ａとの間の最短距離が、当該操作用自由端部２６ａとスロット４０の上端５２との間の最短距離よりも短くなっている。さらに、レバーアーム２６が下側安定位置に置かれていても、または上側安定位置に置かれていても、そのこととは関係なく、リンク３０が支持板１４に対して回転する際の中心線である軸線Ｃ−Ｃは、下記に記載のように、スロット４０とレバーアーム２６の操作用自由端部２６ａとの間に常に位置している。
【００１６】
そして、そのリング閉鎖配置にあるレバーアーム２６を、軸線Ａ−Ａ（図１を参照）を中心として矢印Ｆ（図４を参照）の方向に向かって基部１２から離れるように回転させると、これによりレバーアーム２６のスロット４０は、同じ方向（図４において反時計回りの方向）に向かって基部１２に近づくように回転する。そのとき、スロット４０の上端５２に位置しているローラ４２は基部１２の方向に向けて移動するようになり、これによりリンク３０が、軸線Ｃ−Ｃ（図１を参照）を中心として矢印Ｆによって示される方向と同じ方向（図４の反時計回り方向）に向けて回転移動させられる。このようにリンク３０が矢印Ｆによって示された方向に回転させられると、このリンク３０に坦持されているローラ３２が、中間部２０の上側突出部４６から離れ、この中間部２０の上を、レバーアーム２６の操作用自由端部２６ａの方向に向かって、言い換えると、２つのリングのうちレバーアーム２６が貫通する方のリングに向かって回転移動する。
【００１７】
このようにしてローラ３２が中間部２０の上側突出部４６から離れると、板バネ２４が中間部２０を下方から押し上げ、アーチ１８をポスト１６から離れて開放位置へ向かうように回転させることにより、リングを開く。
【００１８】
これに対し、図８〜図１３に示されているように金具１０がリング開放配置にあるとき、レバーアーム２６は上側安定位置に置かれ、図１０の矢印Ｇによって示されている方向（図４の矢印Ｆによって示されている方向とは反対で、図４、１０における時計回り方向）に向かって基部１２に近づくように回転移動させることができる。そうして矢印Ｇによって示された方向に向けてレバーアーム２６を回転させると、スロット４０が上方に向けて基部１２から離れるように回転移動するのに応じて、このスロット４０の下端５０に位置しているローラ４２、ひいてはリンク３０が、同じ方向に向かって回転移動するようになる。リンク３０は、ローラ３２が前記図２〜図７に示されている位置に戻るまで回転移動する。この位置ではリンク３０は、中間部２０の上側突出部４６上に着座してアーチ１８を閉鎖位置に維持するようになる。この位置まで戻る間、ローラ３２は中間部２０に沿って、レバーアーム２６の操作用自由端部２６ａに向かう（２つのリングのうちレバーアーム２６が貫通する方のリングに向かう）方向とは反対に移動する。そして、この移動中にローラ３２は、アーチ１８の自由端部１８ａがポスト１６の自由端部１６ａと嵌合しかつ接触してリングを閉じるまで、すなわち、金具１０がリング閉鎖配置へ戻るまで、アーチ１８をポスト１６に向けて回転させる。
【００１９】
図１４には、参照番号１００でその全体が表されているように、本発明の第二の実施形態に係る紙保持用金具がさまざまな部品に分解して示されている。
【００２０】
また、金具１００は、おおむね平坦な基部１０２と、基部１０２から上方に向けて延びている支持板１０４とを備えている。支持板１０４は基部１０２と堅固に固定されていればよく、たとえば、支持板１０４は、基部１０２を形成する元の金属シートから打ち抜かれたものであってもよい。つまり、支持板１０４は基部１０２と一体になっていてもよい。
【００２１】
また、２つのポスト１０６が基部１０２に堅固に固定されている。一対のアーチ１０８が中間部１１０を介して相互に一体形成されていて、アーチ１０８および中間部１１０は相互に同時に移動可能となっている。また、アーチ１０８は基部１０２に２つの爪１１２により係合していて、ポスト１０６および基部１０２に対して第一の位置と第二の位置との間を回転可能となっている。第一の位置では、アーチ１０８の自由端部１０８ａおよびポスト１０６の自由端部１０６ａが相互に接触、係合して２つの閉じたリングが形成され（紙保持用金具１００が「リング閉鎖配置」にあると呼ぶ）、第二の位置（「開放位置」と呼ぶ）では、アーチ１０８の自由端部１０８ａおよびポスト１０６の自由端部１０６ａが互いに離れて、リングが開いた状態になる（紙保持用金具１００が「リング開放配置」にあると呼ぶ）。
【００２２】
さらに、板バネ１１４は、下方から中間部１１０に作用してアーチ１０８を開放位置へ付勢するように、基部１０２と係合している。
【００２３】
また、金具１００は、手動操作可能なレバーアーム１１６の含まれるレバー組立体を備えており、このレバー組立体においてレバーアーム１１６は、基部１０２に対しておおむね平行な固定の軸線Ｒ−Ｒを中心として回転可能となるように、リベット１１８によって支持板１０４に係合されている。使用時にユーザは、レバーアーム１１６の操作用自由端部１１６ａに対して力を加えて、アーチ１０８を開放位置と閉鎖位置との間で選択的に回転移動させることにより、２つのリングを開閉する。
【００２４】
前記のレバー組立体は、おおむね三角形状の薄い金属板の形態をとるリンク１２０を備えており、このリンク１２０には３つの穴１２０ａ、１２０ｂ、１２０ｃが形成されていて、そのうちの穴１２０ｃには、プラスチック材料からなるローラ１２２がリベット１２４により係合されている。このため、ローラ１２２は、リンク１２０により坦持されているとともに、軸線Ｒ−Ｒに対して平行でかつ移動可能な軸線Ｓ−Ｓを中心として、リンク３０に対して自由に回転可能となっている。金具１００がリング閉鎖配置にあるときローラ１２２は、中間部１１０の上側突出部１３６（図１７を参照）上に着座して、板バネ１１４の付勢力に抗してアーチ１０８を閉鎖位置に維持している。この状態から金具１００をリング開放配置に移動させると、ローラ１２２が中間部１１０のうちの上側突出部１３６から離れた部分に移動し、この中間部１１０を板バネ１１４が上方に押し上げて、アーチ１０８を開放位置へ移動させるようになる。
【００２５】
リベット１２６は、支持板１０４の孔１２８およびリンク１２０の穴１２０ｂに係合しており、これによりリンク１２０を、軸線Ｒ−Ｒに対して平行な固定の軸線Ｔ−Ｔを中心として回転可能に支持板１０４に係合させている。
【００２６】
レバーアーム１１６は、ローラ１３２を受け入れて相対的に摺動運動させるためのスロット１３０を有している。ローラ１３２は、リベット１３４によってリンク１２０の穴１２０ａに係合されているので、リンク１２０は、ローラ１３２を介してレバーアーム１１６と係合している。ローラ１３２は、リンク１２０からレバーアーム１１６のスロット１３０に向けて延びる延出部であり、そのスロット１３０内に挿入されて摺動可能になっている。
【００２７】
図１５〜図２０には、リング閉鎖配置にある金具１００が示されており、ここではレバーアーム１１６が下側安定位置（金具１００がリング開放配置に置かれている場合にレバーアーム１１６が置かれる下記に記載の上側安定位置との対比）に置かれている。このリング閉鎖配置においてローラ１３２と基部１０２との間の最短距離ｍ（図１９を参照）は、リンク１２０が支持板１０４に対して回転する際の中心線である軸線Ｔ−Ｔと、基部１０２との間の最短距離ｎよりも短くなっている。また、レバーアーム１１６が支持板１０４に対して回転する際の中心線である軸線Ｒ−Ｒと、基部１０２との間の最短距離ｐは、ローラ１３２と基部１２との間の最短距離ｍよりも短くなっている。そして、ローラ１２２は、板バネ１１４の付勢力に抗して中間部１１０の上側突出部１３６に下向きの力を加え、アーチ１０８を閉鎖位置に維持するようになっている。
【００２８】
また、図１７および図１９から明らかなように、金具１００がリング閉鎖配置にあるとき、スロット１３０が基部１０２に対して傾いていて、そのスロット１３０の下端１４０と基部１０２との間の最短距離が、スロット１３０の上端１４２と基部１０２との間の最短距離よりも短くなっているとともに、スロット１３０の下端１４０とレバーアーム１１６の操作用自由端部１１６ａとの間の最短距離が、当該操作用自由端部１１６ａとスロット１３０の上端１４２との間の最短距離よりも短くなっている。さらに、レバーアーム１１６が下側安定位置に置かれていても、または上側安定位置に置かれていても、それとは関係なくスロット１３０は、下記に記載のように、リンク１２０が支持板１０４に対して回転する際の中心線である軸線Ｔ−Ｔと、レバーアーム２６の操作用自由端部２６ａとの間に常に位置している。
【００２９】
そして、そのリング閉鎖配置にあるレバーアーム１１６を、軸線Ｒ−Ｒ（図１４を参照）を中心として矢印Ｄ（図１７を参照）の方向に向かって基部１０２から離れるように回転させると、これによりレバーアーム１１６のスロット１３０は、同じ方向（図１７において反時計回りの方向）に向かって基部１０２から離れるように回転する。そのとき、スロット１３０の下端１４０に位置しているローラ１３２は基部１０２とは反対の方向に向けて移動し、このことによりリンク１２０も、軸線Ｔ−Ｔ（図１４を参照）を中心として矢印Ｄによって示された方向と同一の方向に向けて回転移動させられる。このようにリンク１２０が矢印Ｄによって示された方向に向かって回転させられると、それに応じて、リンク１２０に坦持されているローラ１２２が、中間部１１０の上側突出部１３６から離れ、この中間部１１０上を、レバーアーム１１６の操作用自由端部１１６ａの方向に向かって、言い換えると２つのリングのうちレバーアーム１１６が貫通する方のリングに向かって回転移動する。
【００３０】
このようにしてローラ１２２が中間部１１０の上側突出部１３６から離れると、板バネ１１４が中間部１１０を下方から押し上げ、アーチ１０８をポスト１０６から離れて開放位置へ向かうように回転させることにより、リングを開くようになる。
【００３１】
これに対し、図２１〜図２２に示されているように金具１００がリング開放配置にあるとき、レバーアーム１１６は上側安定位置に置かれ、図１７の矢印Ｅによって示されている方向（図１７の矢印Ｄによって示されている方向とは反対で、時計回り方向）に向かって基部１０２に近づくように、ユーザにより回転させることができる。そうして矢印Ｅによって示された方向に向けてレバーアーム１１６を回転させると、スロット１３０が下方に向けて基部１２に近づくように回転移動するのに応じて、このスロット１３０の上端１４２に位置しているローラ１３２、ひいてはリンク１２０が、同じ方向に向かって回転移動するようになる。リンク１２０は、ローラ１２２が前記図１５〜図２０に示されている位置に戻るまで回転移動する。この位置ではリンク１２０は、中間部１１０の上側突出部１３６上に着座してアーチ１０８を閉鎖位置に維持するようになる。この位置まで戻る間、ローラ１２２は中間部１１０に沿って、レバーアーム１１６の操作用自由端部１１６ａに向かう（２つのリングのうちレバーアーム１１６が貫通する方のリングに向かう）方向とは反対に移動する。そして、この移動中にローラ１２２は、アーチ１０８の自由端部１０８ａがポスト１０６の自由端部１０６ａと嵌合しかつ接触してリングを閉じるまで、すなわち、金具１００をリング閉鎖配置へ戻すまで、アーチ１０８をポスト１０６に向けて回転させる。
【００３２】
上述した紙保持用金具１０、１００の各々を金属、合金、ボール紙またはその他同種のものからなる基板へ、たとえばネジまたはリベットによって堅固にまたは着脱可能に係合することによって、紙保持用品を構成することができる。
【００３３】
上記の記載は、本発明を具象化しうる実施形態を例示することのみを意図したものであるで、本発明の技術思想から逸脱することなく、さまざまな修正および／または変更が加えられてもよいことはいうまでもない。さらに、簡潔さのために、本発明のさまざまな特徴が単一の実施形態を用いて記述されているが、これらは、別々に用いられてもよいし、または適切ないかなる組み合わせで用いられてもよいことはいうまでもない。
【図１】
2013501643.tif 000003
【図２】
2013501643.tif 000004
【図３】
2013501643.tif 000005
【図４】
2013501643.tif 000006
【図５】
2013501643.tif 000007
【図６】
2013501643.tif 000008
【図７】
2013501643.tif 000009
【図８】
2013501643.tif 000010
【図９】
2013501643.tif 000011
【図１０】
2013501643.tif 000012
【図１１】
2013501643.tif 000013
【図１２】
2013501643.tif 000014
【図１３】
2013501643.tif 000015
【図１４】
2013501643.tif 000016
【図１５】
2013501643.tif 000017
【図１６】
2013501643.tif 000018
【図１７】
2013501643.tif 000019
【図１８】
2013501643.tif 000020
【図１９】
2013501643.tif 000021
【図２０】
2013501643.tif 000022
【図２１】
2013501643.tif 000023
【図２２】
2013501643.tif 000024
【国際調査報告】
2013501643.tif 000025
2013501643.tif 000026